(57)【特許請求の範囲】
【請求項１】
プリント配線、表示部品が組み付けられるプリント配線基板は、前記表示部品を嵌着する取付け孔と、該取付け孔の表面側に前記表示部品が組み付けられる導体面が設けられると共に、前記取付け孔と前記導体面を少なくとも除く表面にマスキング処理面を形成し、
前記表示部品は、表示部となる表示体と、前記表示体の一部を収納可能な器体と、前記表示体から前記器体を介して導出された導線と、を備え、
前記器体は、前記取付け孔に脱着可能な取着手段を備えた基部を形成し、前記基部の両側には前記導線が巻きつけ可能な溝部が設けられると共に、前記溝部に前記導線を巻きつけることによって接触部を構成し、
前記表示部品を前記取着手段により前記プリント配線基板の取付け孔に嵌着することによって、前記接触部の前記導線が前記導体面に接触して接続されることを特徴とするパチンコ機における表示基板構造。
【発明の詳細な説明】
【０００１】
【発明の属する技術分野】
この発明はパチンコ機におけるランプ、ＬＥＤ等表示部品、電気部品を組み付けるプリント配線基板の前面を改良して表示効果を向上し、表示部品の装着を簡単とするパチンコ機における表示基板構造に関する。
【０００２】
【従来の技術】
従来のパチンコ機において、前面枠体の前面、前面枠の背面に装着する枠体等に備える装飾用のランプ、ＬＥＤ等を取付けるプリント配線基板は、銅張り樹脂基板にエッチングレジスト印刷をし、その後エッチングして基板の表面にプリント配線を残し、しかる後エッチングレジストを剥離し、ソルダマスク印刷、硬化が施され、そのプリント配線基板にパンチングにより取付け孔が穿設され、該取付け孔にランプ、ＬＥＤ等表示部品の端子がハンダ加工で固着されている。取付け孔の周囲の接続面は導体の銅が露出状とし、それ以外の基板部分とプリント配線部分には緑色の印刷が施されていることは公知のことである。
【０００３】
【発明が解決しようとする課題】
上記従来のパチンコ機の表示部品、電気部品等を取付けるプリント配線基板では、プリント配線基板の取付け孔に多数個の表示部品の端子を挿入してハンダ加工するのは甚だ手間がかかり問題となっていた。
【０００４】
この発明は従来の問題点を解決するもので、表示部品をプリント配線基板に嵌着すると同時に表示部品の導線を接続でき、ワンタッチで装着できるようにしたパチンコ機における表示基板構造を提供することを目的とする。
【０００５】
【課題を解決する手段】
この発明の請求項１のパチンコ機における表示構造は、プリント配線、表示部品が組み付けられるプリント配線基板は、前記表示部品を嵌着する取付け孔と、該取付け孔の表面側に前記表示部品が組み付けられる導体面が設けられると共に、前記取付け孔と前記導体面を少なくとも除く表面にマスキング処理面を形成し、
前記表示部品は、表示部となる表示体と、前記表示体の一部を収納可能な器体と、前記表示体から前記器体を介して導出された導線と、を備え、
前記器体は、前記取付け孔に脱着可能な取着手段を備えた基部を形成し、前記基部の両側には前記導線が巻きつけ可能な溝部が設けられると共に、前記溝部に前記導線を巻きつけることによって接触部を構成し、
前記表示部品を前記取着手段により前記プリント配線基板の取付け孔に嵌着することによって、前記接触部の前記導線が前記導体面に接触して接続されることを特徴とするものである。
【０００６】
この第１の発明の構成により、表示部品４０の基部４３に取着手段４６を一体的に形成したので、プリント配線基板５０の取付け孔５２に簡単に脱着できるとともに、表示部品４０の取付け孔５２への嵌着時に表示部品４０の導線４２ａがプリント配線５１の導体面５３に接続できるので、表示部品４０のプリント配線基板５０上の所定位置への装着を簡便化できる。
【０００７】
【発明の実施形態】
この発明の実施形態を図面に基づいて説明する。図１はパチンコ機の正面図、図２は前面枠体の正面図、図３前面枠体の背面図、図４はマスキング処理したプリント配線基板の正面図、図５は表示部品の正面図、図６は同側面図、図７はマスキング処理したプリント配線基板に表示部品を取付けた正面図、図８は同横断面図、図９は前面枠体の表示部品ホルダーに表示部品付きプリント配線基板を備えた要部断面図、図１０は制御回路基板のプリント配線基板に表示部品を装着した斜視図である。
【０００８】
図１において、パチンコ機は側枠（木枠）１と、該側枠１の一側に開閉自在に軸支されかつ合成樹脂製前面枠体２と、該前面枠体の前面上部には遊技盤５の遊技領域を囲いうる遊技開口が形成され、遊技面の外周に沿って前面装飾部が設けられ、背面のガラス板収容枠取付け部にガラス板をはめ込んだ金属製ガラス板収容枠４が装着された前面板３が開閉自在に装着され、又、その前面下部に開閉自由に設けられかつ上皿６が固着される上皿取付け用前板７が開閉自在に装着され、かつ又、該取付け板の下方の前面枠体２に下皿８が固定され、一側に打球発射装置のハンドル９、操作レバー１０が備えられている。側枠１は木製板材で枠組みし、その一側上下に軸支部材が備えられ、合成樹脂製前面枠体２が開閉自由に軸支される。この側枠１の開放側の内側上下に前面枠体２に備えた錠装置（図示せず）と係脱して前面枠体２を開閉するための係止金具（図示せず）が取付けられている。
【０００９】
図１および図２において、前面枠体２は合成樹脂、木製等で、その上部に遊技盤の遊技領域を規制する円形渦巻き状の誘導レール２１の外周面に合致する円形の開口２２を有する主枠体２０と、主枠体２０の前面側の上部の表示部品収容部２３に装着する表示部品ホルダー２４と、球誘導レールカバー体２５と、発射レールユニット収容部２６と、賞球ユニット収容部２７と、球嵌まり込み防止縁を有する球嵌まり込み防止板２８等から構成されている。前面枠体２の主枠体２０に設けられる遊技領域を規制する開口２２には遊技盤５が前面枠体２の背面側の遊技盤収容面２９内に嵌合され、遊技盤５の遊技領域を決める誘導レール２１が円形の開口２２内に嵌合され、遊技盤５は背面において係止手段３８で止められる。遊技盤５で、１１、１２は入賞口、１３は特別図柄表示装置、１４は始動口、１５は大入賞口である。１６はサイド表示ランプ（ＬＥＤ）、１７は風車である。
【００１０】
前面枠体２の主枠体２０の前面上部に前面板３の装飾部材を照明表示する表示手段が設けられている。実施形態では、前記前面枠体２の主枠体２０の前面上部には、前記前面板３の装飾レンズ体３３と中央の装飾レンズ板３４の後部に相当する位置に複数の表示部品４０を備えた表示部品ホルダー２４を収容する凹状の表示部品収容部２３が形成されている。
【００１１】
合成樹脂製表示部品ホルダー２４は、前記前面板３の装飾レンズ体３３と中央の装飾レンズ板３４を後部から照明しうるように、前面を開口した横長形状とし、ランプの頭部を誘入しその頭部背面にバックライト面が形成できる領域を凹設し、光の乱反射効果を増大可能とした凹状器体で、表示部品４０としてランプ単体が備えられたプリント配線基板５０が装着される。
【００１２】
この発明は前記プリント配線若しくは表示部品が組み付けられるプリント配線基板５０の表面に表示部品４０の表示効果を向上させるマスキング処理面５４を形成したものである。マスキング処理を行う材料は、ＵＶ硬化樹脂材、インク、顔料等を用いる。
【００１３】
図４において、プリント配線基板５０には、プリント配線５１に関連する部位にランプ、ＬＥＤ等表示部品４０を嵌着する複数個の取付け孔５２が一定間隔をおいて設けられ、該取付け孔５２の表面側上下に表示部品の導線４２ａ等が接触しうる導体面５３が設けられ、前記プリント配線基板５０の取付け孔５２と導体面５３を除く全面にマスキング処理面５４が形成され、表示部品４０の表示効果を該プリント配線基板により向上できるようにする。このプリント配線基板５０は図示の長方形の形状に限られるものではなく、Ｌ字型等適宜の形状とできる。プリント配線基板５０の背面の一側のプリント配線の端部にコネクタ５５が設けられている。
【００１４】
プリント配線基板５０にマスキング処理を行う作業工程について説明する。
マスキング処理の第１の方法。
マスキングを行う材料は、ＵＶ硬化樹脂材、基板上にＵＶ硬化樹脂材を貼着（塗布）してマスキング面が形成される。貼着したＵＶ硬化樹脂に対し紫外線を投射してマスキング処理面５４が定着される。
マスキング処理の第２の方法。
熱可塑性シートをプリント配線基板５０上に貼着してマスキング処理面を形成し、熱を投射してマスキング処理面５４が定着される。
マスキングを行う材料にはインク、顔料を混入して適正な色彩を調合する。マスキング面を白色、白系とすることにより光、拡散、投射、反射機能をはかる。
【００１５】
図５および図６において、ランプ単体４０は合成樹脂製カップ型器体４１にランプ（電球）４２を備え、器体４１の下部に据付け用基部４３を形成し、その基部４３の両側にＶ溝４４を刻設しランプ４２の導線４２ａを基部より導出させて両側のＶ溝４４に巻きつけて接触部４５を構成し、前記プリント配線基板５０の取付け孔５２の導電面５３に接触可能とし、かつ前記基部４３に前記取付け孔に脱着可能とする取着手段４６を一体的に形成する。
【００１６】
表示部品ホルダーに取付けるランプ単体４０は、故障発生時、前面枠体等不正開放時、磁石不正使用時等の不正発生時、入賞時、始動入賞時、入賞装置内の特定領域にパチンコ球が落入した時、特別な権利がパチンコ機において発生した時、特別な表示態様が作動した時、図柄表示装置が作動した時、図柄表示装置において特別なランプ単体用が形成された時、特別な記憶状態が所定の記憶値に到達した時、賞球切れが発生した時、パチンコ機内において賞球、若しくは貸出し球が充満した時等に、各別に、又は同時に、或いは交互に点灯駆動する構成としてある。また複数のランプの発光色を異ならせ、若しくは切換えて点灯駆動する構成としてもよい。
【００１７】
図７および図８において、このランプ単体４０をプリント配線基板５０に脱着する構成について説明する。
ランプ単体４０の取着手段４６として、ランプ単体４０の基部４３の下面前後に係止片４７ａ、４７ｂ、上面にフック状の嵌合片４７ｃを一体形成し、取付け孔５２に嵌合片４７ｃを弾性を利用して嵌合し係止片４７ａと係止片４７ｂの爪部を基板５０の裏面に係止めできるようにするとともにランプ単体４０の導線４２ａを基板５０の導体面５３に接触させて接続するように設け、ランプ単体による表示効果を白色、白系のマスキング処理を施したプリント配線基板により向上できるようにする。なお、表示部品４０の取付け孔５２への取着手段は前記構成に限られるものではなく、取付け孔に対して樹脂の弾性を利用して嵌合でき、かつランプ単体の導線が導体面に接触できる構造であればよい。実施形態では、ランプ単体を一方向に向けて装着されているが、これに限られるものではなく、プリント配線にランプ単体を相互に向き合う方向としたり、或いは単独と向かい合わせの配列を組み合わせることも可能である。
【００１８】
図２および図９において、このプリント配線基板５０は表示部品収容ホルダー２４の凹状の表示部品収容部２３に位置決めして取付けビスでビス止めされている。表示部品収容ホルダー２４両端の区画のランプ単体４０は前面板３の装飾レンズ体３３用であり、中間の区画のランプ単体４０は同じく装飾レンズ板３４用である。この構成とすることにより、複数個のランプ単体４０それぞれの表示効果を各別に発揮させることができる。
【００１９】
なお、図２、図３において、前面枠体２の主枠体２０の両側方部に設けた表示体収容部６０には別の表示ランプ６１を位置させ、その表示効果を発揮させる。６４は配線引出し孔で、表示部品収容ホルダー２４内のプリント配線基板５０のコネクタ５５に接続された配線は前面枠体裏面に設けられる入出力回路基板７２に接続されている。
【００２０】
前面板３は遊技盤５の遊技領域を囲う遊技開口３１を有する主枠部材３０に装着部材として、主枠部材３０の前面装飾部に装着される複数の合成樹脂製装飾部材３２と装飾レンズ体３３を有する。すなわち、前面板３の主枠部材３０の上部両側に後述の表示部品からの投光を拡散収束して表示する装飾レンズ体装着部３５、遊技開口上部周縁に沿って装飾レンズ板取付け部３６および遊技開口両側周縁に沿って装飾レンズ板取付け部３７が形成され、前記装飾レンズ体装着部３５と装飾レンズ板取付け部３６、３７に装飾部材が装着される。装飾部材として、装飾レンズ体装着部３５には透光性合成樹脂製装飾レンズ体３３が、又装飾レンズ板取付け部３６、３７に透光性合成樹脂製装飾レンズ板３４が装設されている。
【００２１】
前面枠体２の主枠体２０の背面構造は、図３に示すように、中央部に遊技盤収容面２９と、プリント配線基板取付け部６５と、配線スペース６６、鍵装置収容部６７、打球発射装置収容部６８、入出力回路基板収容部６９、中継回路基板収容部７０等が構成されている。前面枠体２の主枠体２０には、上部にプリント配線基板を位置決めして取付け可能とするプリント配線基板取付け部６５が一体形成されている。合成樹脂製前面枠体２にプリント配線基板取付け部６５を一体形成したので、特別な装着手段を遊技盤や前面板に設けることなく、迅速にパチンコ機に表示部品を装着できる。該プリント配線基板取付け部６５の背面側に相当する位置には配線スペース６６が構成され、かつ、その配線スペース６６に弾性を有する配線止め片７１が一体形成され、表示部品４０用のプリント配線基板５０、表示ランプ６１用の基板６２への配線をまとめて配線スペース６６を通じて入出力回路基板７２等に接続するように構成されている。７３は上部右側の入出力回路基板収容部６９から下部右側の中継回路基板収容部７０までの配線スペースで、該配線スペース７３には中央制御回路基板、発射装置回路基板、払出し回路基板、カードデータ処理中継回路基板への信号と電源の入出力配線等の各種配線が纏めて配設されている。７４は中継基板、７５は打球発射装置、７６は錠装置である。実施形態では前面枠体２の表示部品収容部に表示部品ホルダーを取付ける場合で説明したが、この構造に限られるものではなく、前面枠体、前面板等に設けた表示部品収容部にプリント配線基板を備えるものでもよい。
【００２２】
図３および図１０において、前面枠体２に装着する遊技盤５の中央の図柄表示装置の背面側に備えられる制御基板収納ケース８０内に設ける制御回路基板のプリント配線基板８１にランプ単体４０を装着した場合を示す。制御回路基板８１のプリント配線に関連してランプ単体４０を前記実施形態と同様に嵌着し、パチンコ機の裏面における不正行為時にランプ単体が点灯、点滅するようにすることができる。８２はアウト球排出口、８３はサイドランプ基板である。
【００２３】
この発明は上記のようにプリント配線基板５０の表面にマスキング処理面５４を形成したことにより絶縁保護機能を高め、かつ、そのマスキング処理面５４でプリント配線部分とそれ以外の基板部分の色彩を白色、白色系として表示効果を高める。また、表示部品４０を取着手段４６の係止片４７ａ、４７ｂと嵌合片４７ｃによりプリント配線基板５０の取付け孔５２に簡単に脱着できるとともに、表示部品４０の取付け孔５２への嵌着時に表示部品４０の導線４２ａがプリント配線５１の導体面５３に接続できる。このプリント配線基板５０に各種ランプ単体４０を備えることにより、パチンコ遊技中における各ランプ単体４０の点灯に応じて前面板３に備えた装飾部材の装飾レンズ体３３或いは装飾レンズ板３４を照明表示して、パチンコ遊技者、或いはホールの従業員等にその表示によりパチンコ機におけるパチンコ機に異常が発生した場合、図柄表示装置や入賞装置が始動状態にされた場合、図柄表示装置において当たり表示が成立した場合、遊技盤面上の特定領域をパチンコ球が通過した場合、可動可変入賞装置が作動状態となった時、満たん検出スイッチの作動時、可動可変入賞装置における変動動作が終了する予告、当たりが成立しやすい図柄表示装置の変動状態時、リーチ発生時等、或いは賞球の払出し、球切れの発生などを表示報知できるようにする。
【００２４】
以上の実施形態を示したが、この発明はこの形態に限定されるものではなく、この発明の要旨を逸脱しない範囲で、様々な形態を実施しうるものである。
上記実施形態では、前面枠体２の上部の表示部品収容部２３に表示部品ホルダー２４を備え、プリント配線基板５０をその表示部品収容ホルダー２４に備える場合について説明したが、プリント配線基板を取り付ける構成は上記のものに限定されるものではなく、前面枠が木枠で木枠の上部と側部にレンズカバーを備え、その前面枠体の背面に装着した枠体に表示部を設けるものにおいて、この表示部として前記ランプ単体を備えたプリント配線基板を設けることができる。遊技盤の誘導レール内の両側のサイド表示ランプの基板を前記ランプ単体を装着したプリント配線基板とすることもできる。
【００２５】
【発明の効果】
この発明の請求項１によれば、表示部品に取着手段を一体的に形成し、プリント配線基板の取付け孔に簡単に脱着できるとともに、表示部品の取付け孔への嵌着時に表示部品の導線がプリント配線の導体面に接続できるので、表示部品のプリント配線基板上の所定位置への装着を簡便化できる。
【図面の簡単な説明】
【図１】パチンコ機の正面図である。
【図２】前面枠体の正面図である。
【図３】前面枠体の背面図である。
【図４】マスキングしたプリント配線基板の正面図である。
【図５】表示部品の正面図である。
【図６】同側面図である。
【図７】マスキングしたプリント配線基板に表示部品を取付けた正面図である。
【図８】同横断面図である。
【図９】前面枠体の表示部品ホルダーに表示部品付きプリント配線基板を備えた要部断面図である。
【図１０】制御回路基板に表示部品を装着した斜視図である。
【符号の説明】
２  前面枠体
３  前面板
２０  主枠体
２３  表示部品収容部
３０  表示部品ホルダー
４０  ランプ単体
４２  ランプ
４２ａ  導線
４２  基部
４３  取着手段
５０  プリント配線基板
５１  プリント配線
５２  取付け孔
５３  導体面
５４  マスキング処理面
【図１】
0004000227.tif 000002
【図２】
0004000227.tif 000003
【図３】
0004000227.tif 000004
【図４】
0004000227.tif 000005
【図５】
0004000227.tif 000006
【図６】
0004000227.tif 000007
【図７】
0004000227.tif 000008
【図８】
0004000227.tif 000009
【図９】
0004000227.tif 000010
【図１０】
0004000227.tif 000011